(57)【要約】【課題】分解性能および土壌改良性能ならびに農作物生長性能の向上。【解決手段】紙材を原料とするスラリーに、多孔性物質を含有した。【選択図】  なし【特許請求の範囲】
【請求項１】
紙材を原料とするスラリーに、多孔性物質が含有されたマルチシート構成用資材。
【請求項２】
多孔性物質が炭化物または／および鉱物である請求項１に記載のマルチシート構成用資材。
【請求項３】
多孔性物質に、セルロースおよびリグニンの分解に寄与する微生物または／および農作物の生長に寄与する微生物を吸着させている請求項１または請求項２に記載のマルチシート構成用資材。
【請求項４】
多孔性物質が天然物質由来のものである請求項１ないし請求項３いずれか１項に記載のマルチシート構成用資材。
【請求項５】
前記スラリーが着色されている請求項１ないし請求項４いずれか１項に記載のマルチシート構成用資材。
【発明の詳細な説明】
【０００１】
【発明の属する技術分野】
本発明は、圃場に噴霧することによってマルチシートが構成できるマルチシート構成用資材に関する。
【０００２】
【従来の技術】
圃場に噴霧することによってマルチシートが構成される資材として、段ボール、新聞紙、雑誌等の古紙をスラリー化したものが提案されている。（非特許文献１参照）
【０００３】
【非特許文献１】
財団法人クリーン・ジャパン・センター「リサイクル等環境技術研究開発（Ｉ）」成果報告書（公開用）、平成９年２月発行、整理番号０１０００９７３８、ＩＩ−４３ページ１行〜最終行、ＩＩ−４４ページ１行〜１２行。
【０００４】
前記文献に記載のマルチシートは、従前のポリエチレン系フィルム材のマルチシートと同等の効果を有しながら、さらに、目的終了後には、その原料がセルロースとリグニンの混合物の紙であるため、土に鋤き込めば地中で微生物によって分解されて土に戻るので、撤去作業が不要であるとともに、廃棄物の発生を防止することができるという効果をも有している。
しかも、分解されたセルロースには空気を大量に含むため、土壌改良資材としても大きく機能する効果も有している。
本願発明者は、前記した各効果をさらに有効なものとするため、鋭意研究した結果本願発明に至った。
【０００５】
【発明が解決しようとする課題】
本発明は、分解性能および土壌改良性能ならびに農作物生長性能のさらなる向上を課題とし、この課題を解決するマルチシート構成用資材の提供を目的とする。
【０００６】
【課題を解決するための手段】
上記した目的を達成するために本発明は下記の技術的手段を採用した。
その技術的手段は、紙材を原料とするスラリーに、多孔性物質が含有されたマルチシート構成用資材である。（請求項１）
【０００７】
本発明によれば、マルチシート構成用資材を圃場に散布することによって構成されたマルチシートは、目的終了後土に鋤き込むと多孔性物質が地中に混入される。
このとき多孔性物質には、土中の微生物が保持されるとともに、空気および水分が保持されるので、マルチシートにおけるセルロースおよびリグニンの分解が促進されるとともに、土壌改良が良好に行われて農作物の生長に好適な土壌になる。
したがって、分解性能および土壌改良性能ならびに農作物生長性能のさらなる向上が実現できる。
【０００８】
【発明の実施の形態】
多孔性物質については炭化物や鉱物（請求項２）が例示できる。
炭化物としては、たとえば、木炭、籾殻や麦殻を原料とする活性炭が例示でき、鉱物としては、たとえば、火山礫、軽石、ゼオライト等が例示できる。
多孔性物質は、これ単独でも効果が有るが、さらにその効果を有効なものとするために、本発明では、多孔性物質に、セルロースおよびリグニンの分解に寄与する微生物または／および農作物の生長に寄与する微生物を吸着させた。（請求項３）
請求項３の発明によれば、目的終了後のマルチシートの分解性能が向上し、マルチシート使用中の農作物への微生物の生長作用が期待できる。
また、多孔性物質は天然物質由来のものが好ましく、（請求項４）この多孔性物質によれば、土壌に悪影響を及ぼすことが無い。
そして、前記スラリーを着色する（請求項５）ことによれば、たとえば、農作物ごとに色を変えることによって、マルチシートを見るだけで農作物の種類を認識することができる。
また、着色によって太陽熱を効率よく吸収することによって、地熱を上昇させて農作物を冷害から守るのにより効果的である。
【０００９】
【実施例】
以下、本発明にかかるマルチシート構成用資材（以下、「資材」という）の実施例を説明する。
本実施例の資材は、紙材に新聞古紙を多孔性物質に木炭を用いたスラリー状のものであり、この資材を直接圃場に散布してマルチシートを構成してもよいし、資材を型に流し込んで乾燥させてマルチシートを構成してもよい。
また、木炭には、セルロースおよびリグニンの分解に寄与する微生物および農作物の生長に寄与する微生物を吸着させている。
紙材は、新聞古紙の他に、段ボール、雑誌、使用済みコピー用紙等が使用できる。
【００１０】
本実施例の資材は以下の方法で製造される。
１．水を入れた容器に新聞古紙を入れ、そのまま数時間浸漬する。
２．その後、ミキサーによって攪拌・解繊してスラリー化する。
３．２で得られたスラリーに、細かく粉砕した木炭を混入し、さらに攪拌してスラリー内に木炭がする。
４．攪拌後、水を加えて所定濃度となるように希釈し、これをもって資材とする。
ここで得られた資材は、木炭が混入されていることによって、黒色または黒色に近い濃い目の色となっていて、太陽熱を吸収しやすいものとなっている。
また、木炭には、微生物が吸着されていることから、農作物の生長に効果的であるとともに、分解機能も良好なマルチシートである。
【００１１】
次に、本実施例の資材の使用方法を説明する。
この資材は、前記したように、圃場に直接散布してマルチシートを構成することや、資材を型に流し込んで乾燥させてマルチシートを構成することができる。
【００１２】
最初に、圃場に直接散布してマルチシートを構成する方法を説明する。
この場合、ひしゃくやじょうろを用いて作業者の手で散布することも可能であるが、資材の散布を広い範囲に効率的に行うには散布器を用いることが最適である。
この場合の散布器には、現在水や農薬の散布に使用されるものが流用できる。
ただし、本実施例での資材は、水や農薬よりも粘度が高いため、ポンプの力および配管径さらには噴射ノズル径を資材の散布に適合するものにしておく。
そして、散布機におけるタンクに資材を入れ、ポンプを作動させてノズルから資材を圃場の畦上に満遍なく散布し、これが乾燥することによってマルチシートが構成される。
【００１３】
次に、資材を型に流し込んで乾燥させてマルチシートを構成する方法を説明する。
この場合、マルチシートに必要な幅を有し、長手方向がある程度長い型を用意する。
この型は、たとえば、和紙を梳くときに用いられるものと略同構造のものであり、底部分は目の細かい金網で構成されるものである。
このような型にこれに資材を入れ、資材を均一な厚さになるように型全体に行き渡らせる。
そして、ある程度水分を切るとともに、余剰水分を吸い取った後、湿った資材を型から剥がし、乾燥させることによってマルチシートが構成される。
このように構成されたマルチシートは、圃場の畦に被せることによって使用する。
【００１４】
前記したいずれのマルチシートにおいても、太陽熱吸収よる地熱上昇効果、微生物による農作物生長効果およびマルチシートの分解効果を備え、その上、廃棄物利用によるリサイクル効果および廃棄物の低減効果を有する。
【００１５】
本発明は、例示した実施例に限定されるものではなく、特許請求の範囲に記載された内容から逸脱しない範囲で他の構成による実施が可能である。